(57)【要約】【課題】スリーブの操作を行いやすいレバーでありながら径方向に飛び出した操作部を不要とすることで、誤動作の防止を可能とする継手を提供すること。【解決手段】継手本体２と、継手本体２に取り付けられたスリーブ３と、継手本体に回転可能に取り付けられたレバー５と、レバー５に取り付けられていてレバー５を回転させることでレバー５とスリーブ３とを連結する連結部材４とからなる。レバーを中間位置とすると連結部材４によってレバー５とスリーブ３とが連結され、レバー５を中間位置からさらに回転させるとスリーブ３が連結部材４と共に長手軸線Ｌ方向に移動する。【選択図】図３
2020139599.tif 000002
【特許請求の範囲】
【請求項１】
筒状の継手本体と、
該継手本体の長手軸線方向に移動できるように該継手本体の外周面に取り付けられたスリーブと、
回転中心軸線を中心に回転できるように該継手本体に取り付けられ、該回転中心軸線から離れた位置に操作部を有しているレバーと、
該レバーに取り付けられていて、該レバーを回転させることで該継手本体の該長手軸線方向に移動して、該レバーと該スリーブを連結する連結部材と、
を備え、
該スリーブは第一係合部を有し、該連結部材は第二係合部を有し、
該レバーを、該操作部が該継手本体の該外周面に近接して沿った位置である初期位置から、該操作部が該継手本体の該外周面から離れる方向に所定の中間位置まで回転させると、該連結部材の該第二係合部が該スリーブの該第一係合部に該長手軸線方向で係合することで該連結部材によって該レバーと該スリーブが連結され、該中間位置から更に該レバーを回転させると、該スリーブが該連結部材と共に該長手軸線方向に移動するようにされた継手。
【請求項２】
該継手本体に挿入された相手部材を該継手本体内に保持する保持位置と、該保持位置よりも該継手本体の径方向外側にあって、該相手部材に対する保持が解除される保持解除位置との間で移動可能なように該継手本体に保持された施錠子を更に備え、
該スリーブは、該施錠子を該保持位置に保持する接続位置と、該施錠子が該保持解除位置へ移動することを許容する接続解除位置との間で移動可能とされており、
該中間位置から更に該レバーを回転させると、該スリーブが該連結部材と共に該長手軸線方向に該接続位置から該接続解除位置まで移動するようにされた、請求項１に記載の継手。
【請求項３】
該レバーは、該初期位置にあるときに、該スリーブが該接続位置から該接続解除位置にまで移動することを阻止するようにされた、請求項２に記載の継手。
【請求項４】
該スリーブは該長手軸線方向に伸びるガイド溝を有し、
該スリーブの該第一係合部は該長手軸線方向での端面に形成され、
該連結部材の該第二係合部が該ガイド溝内に配置され、
該レバーを該初期位置から該中間位置まで回転させる間は該第二係合部が該ガイド溝内を該長手軸線方向に移動するようにされた、請求項１乃至３の何れか一項に記載の継手。
【請求項５】
該レバーと該連結部材が該継手本体の中心を通り該長手軸線方向に伸びる平面上を移動するよう配置された、請求項１乃至４の何れか一項に記載の継手。
【発明の詳細な説明】
【技術分野】
【０００１】
本発明は、継手に関し、より詳細には、スリーブの操作をレバーでするようにした継手に関する。
【背景技術】
【０００２】
継手において、例えば特許文献１にあるようにスリーブをレバーで操作できるようにしたものがある。そのような継手ではレバーとスリーブが常に連動するようになっている。通常、継手の接続時には誤動作を防ぐために、レバーは継手本体に出来るだけ沿った位置にまで倒れるようになっている。
【先行技術文献】
【特許文献】
【０００３】
【特許文献１】特開２００２−３１２８６号公報-
【発明の概要】
【発明が解決しようとする課題】
【０００４】
上述の従来の継手においては、倒れているレバーの操作部を操作するときに、スリーブも連動しているためある程度の力が必要とされるが、レバーが倒れている状態では操作部が継手本体に沿った位置にあり操作部に回転方向での力が加えづらくなってしまう。レバーを操作しやすいように例えば操作部を径方向に飛び出した形状とすると、引っ掛けるなどして誤動作が起こりやすくなってしまう。
【０００５】
そこで本発明は、径方向に飛び出した操作部を設けなくてもスリーブの操作を容易に行えるようにした継手を提供することを目的とする。
【課題を解決するための手段】
【０００６】
すなわち本発明は、筒状の継手本体と、
該継手本体の長手軸線方向に移動できるように該継手本体の外周面に取り付けられたスリーブと、
回転中心軸線を中心に回転できるように該継手本体に取り付けられ、該回転中心軸線から離れた位置に操作部を有しているレバーと、
該レバーに取り付けられていて、該レバーを回転させることで該継手本体の該長手軸線方向に移動して、該レバーと該スリーブを連結する連結部材と、を備え、
該スリーブは第一係合部を有し、該連結部材は第二係合部を有し、
該レバーを、該操作部が該継手本体の該外周面に近接して沿った位置である初期位置から、該操作部が該継手本体の該外周面から離れる方向に所定の中間位置まで回転させると、該連結部材の該第二係合部が該スリーブの該第一係合部に該長手軸線方向で係合することで該連結部材によって該レバーと該スリーブが連結され、該中間位置から更に該レバーを回転させると、該スリーブが該連結部材と共に該長手軸線方向に移動するようにされている継手を提供する。
【０００７】
当該継手においては、レバーの回転運動に伴い、連結部材が継手本体の長手軸線方向に移動し、レバーを中間位置まで回転させた後でスリーブの第一係合部と連結部材の第二係合部が接する構造になっているので、レバーを中間位置まで引き起こすまでの操作に力が必要なくなり、操作部を継手本体の径方向に飛び出した形状にしなくても倒れた状態のレバーを容易に操作できるようになる。そのため、従来の継手のように継手本体の径方向に飛び出した操作部が引っかかって誤動作が起きてしまうことを防止することが可能となる。
【０００８】
具体的には、該継手本体に挿入された相手部材を該継手本体内に保持する保持位置と、該保持位置よりも該継手本体の径方向外側にあって、該相手部材に対する保持が解除される保持解除位置との間で移動可能なように該継手本体に保持された施錠子を更に備え、
該スリーブは、該施錠子を該保持位置に保持する接続位置と、該施錠子が該保持解除位置へ移動することを許容する接続解除位置との間で移動可能とされており、
該中間位置から更に該レバーを回転させると、該スリーブが該連結部材と共に該長手軸線方向に該接続位置から該接続解除位置まで移動するようにすることができる。
【０００９】
より具体的には、該レバーは、該初期位置にあるときに、該スリーブが該接続位置から該接続解除位置にまで移動することを阻止するようにすることができる。
【００１０】
また具体的には、該スリーブは該長手軸線方向に伸びるガイド溝を有し、
該スリーブの該第一係合部は該長手軸線方向での端面に形成され、
該連結部材の該第二係合部が該ガイド溝内に配置され、
該レバーを該初期位置から該中間位置まで回転させる間は該第二係合部が該ガイド溝内を該長手軸線方向に移動するようにすることができる。
【００１１】
更に具体的には、該レバーと該連結部材が該継手本体の中心を通り該長手軸線方向に伸びる平面上を移動するようにすることができる。
【００１２】
以下、本発明に係る継手の実施形態を添付図面に基づき説明する。
【図面の簡単な説明】
【００１３】
【図１】本発明実施形態に係る継手の上面図である。
【図２】図１の継手の斜視図である。
【図３】図１の継手のIII―III線における断面図であり、レバーが初期位置にある状態を示す側面断面図である。
【図４】図１の継手の、レバーが中間位置にある状態を示す側面断面図である。
【図５】図１の継手の、スリーブが接続解除位置にある状態を示す側面断面図である。
【発明を実施するための形態】
【００１４】
本発明の一実施形態に係る継手１は、図１乃至図３に示すように、筒状の継手本体２と、この継手本体２の外周面２Ｃを覆い継手本体２の長手軸線Ｌ方向に移動可能に配置されたスリーブ３と、回転中心軸線Ｒを中心に回転できるように継手本体２に取り付けられたレバー５と、レバー５とスリーブ３に取り付けられている連結部材４と、を備えている。
【００１５】
継手本体２は、外側継手本体２Ａと内側継手本体２Ｂとからなり、流路１０を画定している。また継手本体２は、挿入された相手部材Ｙを継手本体２内に保持するための球状の施錠子６を備えている。施錠子６は、相手部材Ｙを継手本体２内に保持する保持位置（図３乃至図５）と、保持位置よりも継手本体２の径方向外側にあって相手部材Ｙに対する保持が解除される保持解除位置との間で移動可能とされている。
【００１６】
スリーブ３は、継手本体２との間に配置されたスリーブスプリング７によって前方（図３で見て右方）に付勢され、施錠子６を保持位置に保持する接続位置（図１乃至図５）と、施錠子６が保持解除位置へ移動することを許容する接続解除位置との間で移動可能とされている。また、継手本体２の外周面２Ｃの前端部分に形成された溝２Ｄに固定された止め輪８によって、前方に付勢されたスリーブ３の前方への移動範囲が制限されている。スリーブ３には、その前方部分において継手本体２の長手軸線Ｌ方向に伸びる長穴であるガイド溝Ｇが形成されている。
【００１７】
レバー５は回転中心軸線Ｒから離れた位置に操作部５Ａを有している。レバー５は更に、連結部材４を取り付けるための孔であるレバー連結部５Ｂと、レバー５を継手本体２に取り付けるための孔であるレバー取付部５Ｃとを備えている。継手本体２とレバー５とは、継手本体２に形成された孔２Ｆとレバー取付部５Ｃとを整合させ、ピン９を孔２Ｆおよびレバー取付部５Ｃに通してレバー取付部５Ｃに圧入固定することで、回転軸線Ｒを軸として回転可能に取り付けられている。
【００１８】
連結部材４は、前方に第二係合部４Ａを備え、後方（図３で見て左方）にレバー５に回転可能に取り付けるための連結部材取付部４Ｂを備えている。図１に示すように、第二係合部４Ａは、図１で見て上下方向外側に向かって伸びるように形成されており、スリーブ３のガイド溝Ｇ内に挿入され、ガイド溝Ｇ内を長手軸線Ｌ方向に移動可能とされている。また、連結部材取付部４Ｂは、図１で見て上下方向内側に向かって伸びるように形成されている。レバー５と連結部材４とは、連結部材取付部４Ｂがレバー５のレバー連結部５Ｂ内に挿入され、レバー連結部５Ｂおよび連結部材取付部４Ｂを軸として相対的に回転可能に取り付けられている。
【００１９】
図３に示すように、継手１に相手部材Ｙが接続されているとき、レバー５は操作部５Ａが継手本体２の外周面２Ｃに近接して沿った位置である初期位置にあり、また施錠子６は相手部材Ｙを保持する保持位置にあり、スリーブ３は施錠子６を保持位置に保持する接続位置にある。レバー５が初期位置にある状態では、レバー５の前端部（操作部）５Ａがスリーブ３の後端部３Ｂに長手軸線Ｌ方向で近接しているため、スリーブ３は接続位置から接続解除位置までの移動を阻止されるようになっている。
【００２０】
継手１と相手部材Ｙとの接続の解除は、下記のようにして行われる。まず、レバー５を初期位置から回転中軸線Ｒを中心に図３で見て反時計方向に回転させる。そうすると、連結部材４は、レバー連結部５Ｂおよび連結部材取付部４Ｂを軸に回転しながら全体として後方に変位する。このとき、連結部材４の第二係合部４Ａはスリーブ３のガイド溝Ｇ内を後方へ移動する。また、スリーブ３はスリーブスプリング７によって前方へ付勢されているため保持位置から移動しない。さらにレバー５を反時計方向に回転させて中間位置とすると、レバー３の第一係合部３Ａと連結部材４の第二係合部４Ａが初めて係合し、レバー５とスリーブ３とが連結部材４を介して連結される（図４）。レバー５を中間位置からさらに反時計方向に回転させると、スリーブ３は、その第一係合部３Ａが連結部材４の第二係合部４Ａに係合しているため、後方へ移動する。このとき、レバー５にはスリーブスプリング７の付勢力に抗するだけの力をかけて回転させる必要がある。レバー５をさらに反時計方向に回転させていくと、スリーブ３が接続解除位置にまで移動する（図５）。スリーブ３が接続解除位置となると施錠子６が保持位置から保持解除位置に変位可能となるため、相手部材Ｙを前方へ移動させることで継手１と相手部材Ｙとの接続が解除される。
【００２１】
当該継手１においては、回転軸線Ｒと、レバー連結部５Ｂおよび連結部材取付部４Ｂによる軸が図３に示された平面に垂直な方向に伸びている。そのため、レバー５の回転と連結部材４の移動は、図３に示された平面に沿って行われるようになっている。
【００２２】
継手１と相手部材Ｙとを接続する際には、接続の解除とは逆の手順で行えばよい。具体的には、レバー５を初期位置から図３で見て反時計方向に回転させてスリーブ３を接続解除位置に移動させた後に相手部材Ｙを継手本体２に挿入し、レバー５を時計方向に回転させてスリーブ３を接続位置に移動することで、継手１と相手部材Ｙとの接続は完了する。
【００２３】
以上、本発明の継手の一実施形態について説明をしたが、本発明はこれに限定されるものではない。例えば、施錠子６の形状は球状に限定されず、樽状や、コイルスプリング等のものとすることも可能である。さらにスリーブ３を前方に付勢する部材としてスリーブスプリング７を用いているが、Ｏリングなどの弾性部材を使用してもよい。また図３に示された平面に沿ってレバー５の回転と連結部材４の移動が行われるようになっているが、その平面に対してどのような角度でレバー５の回転と連結部材４の移動がされるようにしてもよい。
【符号の説明】
【００２４】
継手１；継手本体２；外側継手本体２Ａ；内側継手本体２Ｂ；外周部２Ｃ；溝２Ｄ；孔２Ｆ；スリーブ３；第一係合部３Ａ；後端部３Ｂ；連結部材４；第二係合部４Ａ；連結部材取付部４Ｂ；レバー５；操作部（前端部）５Ａ；レバー連結部５Ｂ；レバー取付部５Ｃ；施錠子６；スリーブスプリング７；止め輪８；固定ピン９；流路１０；ガイド溝Ｇ；回転軸線Ｒ；長手軸線Ｌ；相手部材Ｙ
【図１】
2020139599.tif 000003
【図２】
2020139599.tif 000004
【図３】
2020139599.tif 000005
【図４】
2020139599.tif 000006
【図５】
2020139599.tif 000007
【手続補正書】
【提出日】令和2年6月22日(2020.6.22)
【手続補正１】
【補正対象書類名】特許請求の範囲
【補正対象項目名】全文
【補正方法】変更
【補正の内容】
【特許請求の範囲】
【請求項１】
筒状の継手本体と、
該継手本体の長手軸線方向に移動できるように該継手本体の外周面に取り付けられたスリーブと、
回転中心軸線を中心に回転できるように該継手本体に取り付けられ、該回転中心軸線から離れた位置に操作部を有しているレバーと、
該レバーに取り付けられていて、該レバーを回転させることで該継手本体の該長手軸線方向に移動して、該レバーと該スリーブを連結する連結部材と、
を備え、
該スリーブは第一係合部を有し、該連結部材は第二係合部を有し、
該レバーを、該操作部が該継手本体の該外周面に近接して沿った位置である初期位置から、該操作部が該継手本体の該外周面から離れる方向に所定の中間位置まで回転させると、該連結部材の該第二係合部が該スリーブの該第一係合部に該長手軸線方向で係合することで該連結部材によって該レバーと該スリーブが連結され、該中間位置から更に該レバーを回転させると、該スリーブが該連結部材と共に該長手軸線方向に移動するようにされ、
該スリーブは該長手軸線方向に伸びるガイド溝を有し、
該スリーブの該第一係合部は該長手軸線方向での端面に形成され、
該連結部材の該第二係合部が該ガイド溝内に配置され、
該レバーを該初期位置から該中間位置まで回転させる間は該第二係合部が該ガイド溝内を該長手軸線方向に移動するようにされた継手。
【請求項２】
該継手本体に挿入された相手部材を該継手本体内に保持する保持位置と、該保持位置よりも該継手本体の径方向外側にあって、該相手部材に対する保持が解除される保持解除位置との間で移動可能なように該継手本体に保持された施錠子を更に備え、
該スリーブは、該施錠子を該保持位置に保持する接続位置と、該施錠子が該保持解除位置へ移動することを許容する接続解除位置との間で移動可能とされており、
該中間位置から更に該レバーを回転させると、該スリーブが該連結部材と共に該長手軸線方向に該接続位置から該接続解除位置まで移動するようにされた、請求項１に記載の継手。
【請求項３】
該レバーは、該初期位置にあるときに、該スリーブが該接続位置から該接続解除位置にまで移動することを阻止するようにされた、請求項２に記載の継手。
【請求項４】
該レバーと該連結部材が該継手本体の中心を通り該長手軸線方向に伸びる平面上を移動するよう配置された、請求項１乃至３の何れか一項に記載の継手。